(57)【特許請求の範囲】
【請求項１】
順次縦列敷設された側溝製品と側溝製品との間の折曲部分に側溝を構築する現場打ちコンクリート施工に用いられ、該折曲部分の側溝の外壁面を形成する外型枠及び折曲部分の側溝の流路内壁面を形成する内型枠からなり、該外型枠と内型枠との間にコンクリートを打設する型枠空間が形成され、上記内型枠は上記折曲部分の折曲角部を境に対峙して配置される一方内型枠と他方内型枠からなり、該一方内型枠及び他方内型枠は互いに略対称な構造を有し、該一方内型枠及び他方内型枠は、各側溝製品の左右の両内側面の延長面を外面とする左右一対の上内板と、該左右一対の上内板間に着脱自在に架設され、上記流路内壁面の上面を形成する着脱自在な上面板と、一方端部は一方の上内板に枢着され、他方端部は他方の上内板を担持し、伸縮サポートにより左右一対の上内板を担持する担持片と、該左右一対の上内板に延長形成され、該上内板の下方に位置して上下動自在な左右一対の下内板と、該左右一対の下内板間に枢着連結架設され、枢軸により中間部で折曲自在な一対のリンク片からなる折曲リンクと、該枢軸に枢着され、一対のリンク片を折曲させる作動片とからなることを特徴とする側溝構築用型枠。
【請求項２】
上記左右一対の下内板間に接離自在に張架され、左右一対の張部材間にリンク杆を枢着架設してなる受圧部材を備えてなることを特徴とする請求項１記載の側溝構築用型枠。
【請求項３】
上記左右一対の下内板の下部に形成された左右一対の受板と、該受板上を転動すると共に上記受圧部材を担持する担持車輪とを備えてなることを特徴とする請求項２記載の側溝構築用型枠。
【請求項４】
上記外型枠は上記折曲部分の折曲角部を境に対峙して配置される一方外型枠と他方外型枠からなり、該一方外型枠及び他方外型枠は互いに略対称な構造を有し、該一方外型枠及び他方外型枠は、各側溝製品の左右の両外側面の延長面を内面とする左右一対の外板と、該左右一対の外板間に架設される切張材と、該外板と外板との間に配置され、該折曲部分の折曲形状に応じて折曲自在な中間板とからなることを特徴とする請求項１〜３のいずれか１項に記載の側溝構築用型枠。
【請求項５】
上記左右一対の外板に着脱自在に設けられ、上記各側溝製品の外面に形成された凹状部分へのコンクリートの流出を阻止する堰板を備えてなることを特徴とする請求項１〜４のいずれか１項に記載の側溝構築用型枠。
【発明の詳細な説明】
【技術分野】
【０００１】
本発明は、順次縦列敷設された側溝製品、例えばＵ字側溝や自由勾配側溝等のあらかじめ工場で生産されたプレキャスト側溝製品と側溝製品との間の折曲部分に現場打ちコンクリート施工により側溝を構築する際に用いられる側溝構築用型枠に関するものである。
【背景技術】
【０００２】
従来、この種の側溝構築用型枠として、順次縦列敷設された側溝製品と側溝製品との間の折曲部分に側溝を構築する現場打ちコンクリート施工に用いられ、折曲部分の側溝の外壁面を形成する外型枠及び折曲部分の側溝の流路内壁面を形成する内型枠からなり、外型枠と内型枠との間にコンクリートを打設する型枠空間が形成された構造のものが知られている。
【先行技術文献】
【特許文献】
【０００３】
【特許文献１】特開平９−３１７１７３号
【発明の概要】
【発明が解決しようとする課題】
【０００４】
しかしながら上記従来構造の場合、上記折曲部分の側溝の外壁面を形成する外型枠及び折曲部分の側溝の流路内壁面を形成する内型枠の構造が複雑化すると共に、現場打ちコンクリート固化後において、外型枠及び内型枠を除去することになり、このうち、内型枠にあっては側溝製品の側溝蓋用の非常に狭い開口部を介して行うことになり、内型枠の除去作業が非常に厄介であり、側溝構築の作業性が低下することがあるという不都合を有している。
【課題を解決するための手段】
【０００５】
本発明はこのような不都合を解決することを目的とし、本発明のうちで、請求項１記載の発明は、順次縦列敷設された側溝製品と側溝製品との間の折曲部分に側溝を構築する現場打ちコンクリート施工に用いられ、該折曲部分の側溝の外壁面を形成する外型枠及び折曲部分の側溝の流路内壁面を形成する内型枠からなり、該外型枠と内型枠との間にコンクリートを打設する型枠空間が形成され、上記内型枠は上記折曲部分の折曲角部を境に対峙して配置される一方内型枠と他方内型枠からなり、該一方内型枠及び他方内型枠は互いに略対称な構造を有し、該一方内型枠及び他方内型枠は、各側溝製品の左右の両内側面の延長面を外面とする左右一対の上内板と、該左右一対の上内板間に着脱自在に架設され、上記流路内壁面の上面を形成する着脱自在な上面板と、一方端部は一方の上内板に枢着され、他方端部は他方の上内板を担持し、伸縮サポートにより左右一対の上内板を担持する担持片と、該左右一対の上内板に延長形成され、該上内板の下方に位置して上下動自在な左右一対の下内板と、該左右一対の下内板間に枢着連結架設され、枢軸により中間部で折曲自在な一対のリンク片からなる折曲リンクと、該枢軸に枢着され、一対のリンク片を折曲させる作動片とからなることを特徴とする側溝構築用型枠にある。
【０００６】
又、請求項２記載の発明は、上記左右一対の下内板間に接離自在に張架され、左右一対の張部材間にリンク杆を枢着架設してなる受圧部材を備えてなることを特徴とするものであり、又、請求項３記載の発明は、上記左右一対の下内板の下部に形成された左右一対の受板と、該受板上を転動すると共に上記受圧部材を担持する担持車輪とを備えてなることを特徴とするものである。
【０００７】
又、請求項４記載の発明は、上記外型枠は上記折曲部分の折曲角部を境に対峙して配置される一方外型枠と他方外型枠からなり、該一方外型枠及び他方外型枠は互いに略対称な構造を有し、該一方外型枠及び他方外型枠は、各側溝製品の左右の両外側面の延長面を内面とする左右一対の外板と、該左右一対の外板間に架設される切張材と、該外板と外板との間に配置され、該折曲部分の折曲形状に応じて折曲自在な中間板とからなることを特徴とするものであり、又、請求項５記載の発明は、上記左右一対の外板に着脱自在に設けられ、上記各側溝製品の外面に形成された凹状部分へのコンクリートの流出を阻止する堰板を備えてなることを特徴とするものである。
【発明の効果】
【０００８】
本発明は上述の如く、請求項１記載の発明にあっては、順次縦列敷設された側溝製品と側溝製品との間の折曲部分に側溝を現場打ちコンクリート施工により構築するに際し、外型枠と内型枠との間に形成された型枠空間にコンクリートを打設し、外型枠は折曲部分の側溝の外壁面を形成すると共に内型枠は折曲部分の側溝の流路内壁面を形成することになり、この際、上記内型枠は上記折曲部分の折曲角部を境に対峙して配置される一方内型枠と他方内型枠からなり、一方内型枠及び他方内型枠は互いに略対称な構造を有し、一方内型枠及び他方内型枠は、各側溝製品の左右の両内側面の延長面を外面とする左右一対の上内板と、左右一対の上内板間に着脱自在に架設され、上記流路内壁面の上面を形成する着脱自在な上面板と、一方端部は一方の上内板に枢着され、他方端部は他方の上内板を担持し、伸縮サポートにより左右一対の上内板を担持する担持片と、左右一対の上内板に延長形成され、上内板の下方に位置して上下動自在な左右一対の下内板と、上記左右一対の下内板間に枢着連結架設され、枢軸により中間部で折曲自在な一対のリンク片からなる折曲リンクと、枢軸に枢着され、一対のリンク片を折曲させる作動片とにより構成されているから、上記折曲部分の折曲角部を境にして一方内型枠及び他方内型枠を対峙配置し、左右一対の上内板及び左右一対の下内板を配置し、左右一対の上内板間に上面板を着脱自在に架設し、左右一対の下内板間に枢軸により中間部で折曲自在な一対のリンク片からなる折曲リンクが枢着連結架設され、伸縮サポートにより担持片を担持することにより左右一対の上内板を担持することになり、外型枠及び内型枠としての一方内型枠と他方内型枠との間の型枠空間にコンクリートを打設し、コンクリートの固化により各側溝製品の左右の両内側面の延長面としての折曲部分の側溝の流路内壁面及び外壁面を有する側溝を構築することができ、側溝の構築後、上面板及び伸縮サポートを取り外すと、上内板は下降すると共に枢軸により中間部で折曲自在な一対のリンク片からなる折曲リンクにより下内板を近接移動させ、これにより内型枠を縮小分解することができ、この縮小分解状態において上記側溝製品の開口部を介して上面板、伸縮サポート、上内板、下内板を順次、取り出すことができ、縮小分解状態のため、内型枠としての一方内型枠及び他方内型枠を側溝製品の開口部から容易に抜き去って除去することができ、内型枠の設置及び除去を容易に行うことができ、それだけ、順次縦列敷設された側溝製品と側溝製品との間の折曲部分に側溝を構築する現場打ちコンクリート施工の作業性を向上することができる。
【０００９】
又、請求項２記載の発明にあっては、上記左右一対の下内板間に接離自在に張架され、左右一対の張部材間にリンク杆を枢着架設してなる受圧部材を備えているから、左右一対の下内板に対する型枠空間に打設されたコンクリートのコンクリート圧力を受けることができ、上記折曲リンク及び受圧部材により内型枠の剛性強度を高めることができ、又、請求項３記載の発明にあっては、上記左右一対の下内板の下部に形成された左右一対の受板と、受板上を転動すると共に上記受圧部材を担持する担持車輪とを備えて構成しているから、上記受圧部材の除去作業を容易に行うことができる。
【００１０】
又、請求項４記載の発明にあっては、上記外型枠は上記折曲部分の折曲角部を境に対峙して配置される一方外型枠と他方外型枠からなり、一方外型枠及び他方外型枠は互いに略対称な構造を有し、一方外型枠及び他方外型枠は、各側溝製品の左右の両外側面の延長面を内面とする左右一対の外板と、左右一対の外板間に架設される切張材と、外板と外板との間に配置され、折曲部分の折曲形状に応じて折曲自在な中間板とから構成されているから、折曲部分の折曲形状に対応することができると共に外型枠の設置及び除去を容易に行うことができ、又、請求項５記載の発明にあっては、上記左右一対の外板に着脱自在に設けられ、上記各側溝製品の外面に形成された凹状部分へのコンクリートの流出を阻止する堰板を備えてなるから、側溝製品と側溝製品との間の折曲部分の側溝を容易に構築することができる。
【図面の簡単な説明】
【００１１】
【図１】本発明の実施の形態例の型枠設置状態の全体平面図である。
【図２】本発明の実施の形態例の型枠設置状態の横断面図である。
【図３】本発明の実施の形態例の型枠設置状態の部分拡大平面図である。
【図４】本発明の実施の形態例の型枠設置状態の部分拡大平断面図である。
【図５】本発明の実施の形態例の型枠設置状態の部分拡大平断面図である。
【図６】本発明の実施の形態例の内型枠の横断面図である。
【図７】本発明の実施の形態例の内型枠の部分平面図である。
【図８】本発明の実施の形態例の内型枠の部分平面図である。
【図９】本発明の実施の形態例の側溝構築状態の横断面図である。
【図１０】本発明の実施の形態例の側溝構築状態の全体平面図である。
【発明を実施するための形態】
【００１２】
図１乃至図１０は本発明の実施の形態例を示し、図１、図３、図１０の如く、Ｗは側溝製品であって、この場合、自由勾配側溝が用いられ、側溝製品Ｗの上面には開口部Ｗ２が形成され、開口部Ｗ２に側溝蓋Ｗ３が着脱自在に嵌着され、この順次縦列敷設された側溝製品Ｗと側溝製品Ｗとの間の折曲部分Ｓに側溝Ｇを構築する現場打ちコンクリート施工に用いられ、折曲部分Ｓの側溝Ｇの外壁面を形成する外型枠Ｅ及び折曲部分Ｓの側溝Ｇの流路Ｆ内壁面を形成する内型枠Ｎからなり、外型枠Ｅと内型枠Ｎとの間にコンクリートを打設する型枠空間Ｒが形成されることになる。
【００１３】
この場合、図２、図４、図６、図８、図９の如く、上記内型枠Ｎは上記折曲部分Ｓの折曲角部ＳＬを境に対峙して配置される一方内型枠Ｎ１と他方内型枠Ｎ２からなり、一方内型枠Ｎ１及び他方内型枠Ｎ２は互いに略対称な構造を有し、一方内型枠Ｎ１及び他方内型枠Ｎ２は、各側溝製品Ｗ・Ｗの左右の両内側面の延長面を外面とする左右一対の上内板１・１と、左右一対の上内板１・１間に着脱自在に架設され、上記流路Ｆ内壁面の上面を形成する着脱自在な上面板２と、一方端部は一方の上内板１に形成された型材Ｋに枢軸Ｐにより水平旋回自在に枢着され、他方端部は他方の上内板１を型材Ｋを介して担持し、ジャッキ構造の伸縮サポートＪにより左右一対の上内板１・１を担持する担持片３と、左右一対の上内板１・１に延長形成され、上内板１・１の下方に位置して上下動自在な左右一対の下内板４・４と、上記左右一対の下内板４・４間に連結架設され、下内板４・４に形成された型材Ｋ・Ｋに枢軸Ｐ・Ｐにより枢着架設され、枢軸Ｑにより中間部で折曲自在な一対のリンク片６ａ・６ａからなる折曲リンク６と、枢軸Ｑに枢着され、一対のリンク片６ａ・６ａを折曲させる作動片７とから構成されている。
【００１４】
又、この場合、図２、図５、図６、図７、図９の如く、上記左右一対の下内板４・４間に接離自在に張架され、左右一対の長尺状の張部材Ｔ・Ｔ間に枢軸Ｐ・Ｐによりリンク杆５ａを枢着架設してなる受圧部材５を備えて構成している。
【００１５】
又、この場合、上記左右一対の下内板４・４の下部に形成された左右一対の受板４ａ・４ａと、受板４ａ・４ａ上を転動すると共に上記受圧部材５を担持する担持車輪４ｂとを備えて構成している。
【００１６】
又、この場合、上記外型枠Ｅは上記折曲部分Ｓの折曲角部ＳＬを境に対峙して配置される一方外型枠Ｅ１と他方外型枠Ｅ２からなり、一方外型枠Ｅ１及び他方外型枠Ｅ２は互いに略対称な構造を有し、一方外型枠Ｅ１及び他方外型枠Ｅ２は、各側溝製品Ｗ・Ｗの左右の両外側面の延長面を内面とする左右一対の外板８・８と、左右一対の外板８・８間に架設される切張材９と、外板８と外板８との間に配置され、折曲部分Ｓの折曲形状に応じて折曲自在なヒンジ部１０ａをもつ中間板１０と、外板８と外板８や外板８と中間板１０とを連結するクランプＣとから構成されている。
【００１７】
Ｂ・Ｂは堰板であって、この場合、図２、図４、図５の如く、内面に磁石板Ｂ１が接着され、上記左右一対の外板８・８に磁石板Ｂ１の磁力により堰板Ｂ・Ｂを着脱自在に取り付け、上記各側溝製品Ｗ・Ｗの外面に形成された凹状部分Ｗ１・Ｗ１へのコンクリートの流出を阻止するようにしている。
【００１８】
この実施の形態例は上記構成であるから、順次縦列敷設された側溝製品Ｗと側溝製品Ｗとの間の折曲部分Ｓに側溝Ｇを現場打ちコンクリート施工により構築するに際し、図１、図２の如く、基礎砕石Ｄ上に基礎コンクリートＨを形成し、基礎コンクリートＨ上に側溝製品Ｗ・・を敷設し、側溝製品Ｗの底部にインバートコンクリートＩを打設すると共に側溝製品Ｗの両外側部に側部コンクリートＩ１を打設し、この場合、インバートコンクリートＩ上に内型枠Ｎを構築すると共に側部コンクリートＩ１上に外型枠Ｅを構築し、外型枠Ｅと内型枠Ｎとの間に形成された型枠空間Ｒにコンクリートを打設し、外型枠Ｅは折曲部分Ｓの側溝Ｇの外壁面を形成すると共に内型枠Ｎは折曲部分Ｓの側溝Ｇの流路Ｆ内壁面を形成することになる。
【００１９】
この際、上記内型枠Ｎは上記折曲部分Ｓの折曲角部ＳＬを境に対峙して配置される一方内型枠Ｎ１と他方内型枠Ｎ２からなり、一方内型枠Ｎ１及び他方内型枠Ｎ２は互いに略対称な構造を有し、一方内型枠Ｎ１及び他方内型枠Ｎ２は、各側溝製品Ｗ・Ｗの左右の両内側面の延長面を外面とする左右一対の上内板１・１と、左右一対の上内板１・１間に着脱自在に架設され、上記流路Ｆ内壁面の上面を形成する着脱自在な上面板２と、一方端部は一方の上内板１に形成された型材Ｋに枢軸Ｐにより水平旋回自在に枢着され、他方端部は他方の上内板１を型材Ｋを介して担持し、ジャッキ構造の伸縮サポートＪにより左右一対の上内板１・１を担持する担持片３と、左右一対の上内板１・１に延長形成され、上内板１・１の下方に位置して上下動自在な左右一対の下内板４・４と、上記左右一対の下内板４・４間に下内板４・４に形成された型材Ｋ・Ｋに枢軸Ｐ・Ｐにより枢着架設され、枢軸Ｑにより中間部で折曲自在な一対のリンク片６ａ・６ａからなる折曲リンク６と、枢軸Ｑに枢着され、一対のリンク片６ａ・６ａを折曲させる作動片７とにより構成されているから、上記折曲部分Ｓの折曲角部ＳＬを境にして一方内型枠Ｎ１及び他方内型枠Ｎ２を対峙配置し、図２の如く、左右一対の上内板１・１及び左右一対の下内板４・４をインバートコンクリートＩ上に配置し、左右一対の上内板１・１間に上面板２を着脱自在に架設し、左右一対の下内板４・４間に枢軸Ｑにより中間部で折曲自在な一対のリンク片６ａ・６ａからなる折曲リンク６が枢着連結架設され、伸縮サポートＪにより担持片３を担持することにより左右一対の上内板１・１を担持することになり、外型枠Ｅ及び内型枠Ｎとしての一方内型枠Ｎ１と他方内型枠Ｎ２との間の型枠空間Ｒにコンクリートを打設し、コンクリートの固化により各側溝製品Ｗ・Ｗの左右の両内側面の延長面としての折曲部分Ｓの側溝Ｇの流路Ｆ内壁面及び外壁面を有する側溝Ｇを構築することができる。
【００２０】
そして、側溝Ｇの構築後、図１から図７及び図９の如く、上面板２及び伸縮サポートＪを取り外すと、上内板１・１は下降すると共に枢軸Ｑにより中間部で折曲自在な一対のリンク片６ａ・６ａからなる折曲リンク６により下内板４・４を近接移動させ、これにより内型枠Ｎを縮小分解することができ、この縮小分解状態において上記側溝製品Ｗの開口部Ｗ２を介して上面板２、伸縮サポートＪ、上内板１・１、下内板４・４を順次、取り出すことができ、縮小分解状態のため、内型枠Ｎとしての一方内型枠Ｎ１及び他方内型枠Ｎ２を側溝製品Ｗの開口部Ｗ２から容易に抜き去って除去することができ、内型枠Ｎの設置及び除去を容易に行うことができ、それだけ、順次縦列敷設された側溝製品Ｗと側溝製品Ｗとの間の折曲部分Ｓに側溝Ｇを構築する現場打ちコンクリート施工の作業性を向上することができる。
【００２１】
この場合、上記左右一対の下内板４・４間に接離自在に張架され、左右一対の張部材Ｔ・Ｔ間にリンク杆５ａを枢着架設してなる受圧部材５を備えているから、左右一対の下内板４・４に対する型枠空間Ｒに打設されたコンクリートのコンクリート圧力を受けることができ、上記折曲リンク６及び受圧部材５により内型枠Ｎの剛性強度を高めることができ、又、この場合、上記左右一対の下内板４・４の下部に形成された左右一対の受板４ａ・４ａと、受板４ａ・４ａ上を転動すると共に上記受圧部材５を担持する担持車輪４ｂとを備えて構成しているから、上記受圧部材５の除去作業を容易に行うことができる。
【００２２】
又、この場合、上記外型枠Ｅは上記折曲部分Ｓの折曲角部ＳＬを境に対峙して配置される一方外型枠Ｅ１と他方外型枠Ｅ２からなり、一方外型枠Ｅ１及び他方外型枠Ｅ２は互いに略対称な構造を有し、一方外型枠Ｅ１及び他方外型枠Ｅ２は、各側溝製品Ｗ・Ｗの左右の両外側面の延長面を内面とする左右一対の外板８・８と、左右一対の外板８・８間に架設される切張材９と、外板８と外板８との間に配置され、折曲部分Ｓの折曲形状に応じて折曲自在なヒンジ部１０ａをもつ中間板１０とから構成されているから、折曲部分Ｓの折曲形状に対応することができると共に外型枠Ｅの設置及び除去を容易に行うことができ、又、この場合、上記左右一対の外板８・８に着脱自在に設けられ、上記各側溝製品Ｗ・Ｗの外面に形成された凹状部分Ｗ１・Ｗ１へのコンクリートの流出を阻止する堰板Ｂ・Ｂを備えてなるから、側溝製品Ｗと側溝製品Ｗとの間の折曲部分Ｓの側溝Ｇを容易に構築することができる。
【００２３】
尚、本発明は上記実施の形態例に限らず、外型枠Ｅ、内型枠Ｎの形態や構造、大きさ等は適宜変更して設計される。
【００２４】
以上所期の目的を充分達成することができる。
【符号の説明】
【００２５】
Ｗ    側溝製品
Ｓ    折曲部分
Ｇ    側溝
Ｅ    外型枠
Ｎ    内型枠
Ｆ    流路
Ｒ    型枠空間
ＳＬ    折曲角部
Ｎ１    一方内型枠
Ｎ２    他方内型枠
Ｊ    伸縮サポート
Ｑ    枢軸
Ｅ１    一方外型枠
Ｅ２    他方外型枠
Ｗ１    凹状部分
Ｂ    堰板
Ｔ    張部材
１    上内板
２    上面板
３    担持片
４    下内板
４ａ    受板
４ｂ    担持車輪
５    受圧部材
５ａ    リンク杆
６    折曲リンク
６ａ    リンク片
７    作動片
８    外板
９    切張材
１０    中間板
【図１】
0005920999.tif 000002
【図２】
0005920999.tif 000003
【図３】
0005920999.tif 000004
【図４】
0005920999.tif 000005
【図５】
0005920999.tif 000006
【図６】
0005920999.tif 000007
【図７】
0005920999.tif 000008
【図８】
0005920999.tif 000009
【図９】
0005920999.tif 000010
【図１０】
0005920999.tif 000011